(57)【要約】【課題】無駄なく充分な光を発することで、屋外でも見やすいバックライトを備えた半透過タイプの液晶モニタを提供する。【解決手段】液晶モニタ５内の底部に光の通路５２を具有する反射層５１を形成し、該モニタ５と底部光源装置７との間にはマイクロレンズフィルム６を設け、且つ、該マイクロレンズフィルム６には光の通路５２と相対する位置に集光区域６１を設け、自然の光を該反射層５１で反射した光がモニタ５から出射される光となり、また、該底部光源装置７より出射される光源光は一旦該集光区域６１に集まった後、該光の通路５２を透過することで同様に該モニタ５より出射される光となり、これらの光の和で該モニタ５より出射される光の強度を高める。【選択図】　　　図２
2004037800.tif 000002
【特許請求の範囲】
【請求項１】
少なくとも液晶モニタと、液晶モニタ底部に設けられた反射層と、マイクロレンズフィルム、底部光源装置とより構成され、
該反射層には複数の分布する光の通路が設けられており、該マイクロレンズフィルムは該光の通路と相対した位置に集光区域を形成しており、自然の光が該反射層で反射されるとともに、集光区域を経て光の通路を透過した該底部光源装置より出射される光源光と一つになって液晶モニタより出射される光を強化し、自然の光とのコントラストのバランスを保って見やすいことを特徴とするバックライトを備えた半透過タイプの液晶モニタ。
【請求項２】
マイクロレンズフィルムの集光区域は反射層の光の通路の面積より大きいことを特徴とする請求項１記載のバックライトを備えた半透過タイプの液晶モニタ。
【発明の詳細な説明】
【０００１】
【発明の属する技術分野】
本発明は、バックライトを備えた半透過タイプの液晶モニタに関する。
【０００２】
【従来の技術】
現代人の生活必需品として欠かせない存在となっている携帯電話や携帯タイプのコンピュータ機器において、液晶モニタは重要な役割を果たしており、例えば、屋外でも受けたメッセージが直ぐに見られる等、便利な機能が提供されている。
【０００３】
屋外で使用するという点において、このような液晶モニタの欠点とは、一般の液晶モニタは光源がモニタの背後に設置されたバックライト板モジュールより提供されているため、提供される光源の明るさが昼間の戸外での明るさ（自然の光）には到底及ばず、逆に昼間戸外で使用する際は明るさのコントラストのバランスが悪くなって見難く、且つバックライト板モジュールの光の強度が強化されて電力が無駄に使われることにより、パーツの寿命を削る原因にもなっている。
【０００４】
更に、明るさを増強する効果における限界の問題等も併せ、現在、二種類の方式でこれらの欠点に対する解決策が取られている。
先ず、その内の一つの方法として、図３に示すように、液晶モニタのバックライト板モジュールを、該液晶モニタ前方より光源を提供する「フロントライト設計」に改良したものがあり、これは、主に、反射式液晶モニタ１及びその前方に設けられているフロントライト装置２より構成されており、該フロントライト装置２には導光板２１と該導光板２１側面に設けられた冷光陰極線管２２とより構成されており、且つ、該導光板２１の光を発する面の設計とは連続した反射斜面Ａ−Ｂとなっているものである。
【０００５】
また、無駄な散光による光のロスを減らすべく、該導光板２１には該液晶モニタ１付近の一面に抗反射フィルム（ＡＲ−ＣＯＡＴＩＮＧ）を貼設することがある。こうすることによって、該冷光陰極線管２２による光源光の一部が該液晶モニタ１に直接投射して反射する以外は、該冷光陰極線管２２の光源光は反射斜面Ａ−Ｂによって反射し、該液晶モニタ１に投射した後反射するようになっている。
【０００６】
また、図４に示すように、もう一つの公知構造の例を挙げると、液晶モニタ３の背後に設けられた底部光源装置４によって光源が提供されるものであり、該液晶モニタ３の底部には半反射半投射の光学特性を具有するマイクロレンズフィルム３１が被覆されているものである。
【０００７】
該底部光源装置４には導光板４１が設けられており、また、該導光板４１側面に設けられた冷光陰極線管４２によって光源が提供されている。半反射半投射光源の該マイクロレンズフィルム３１においては、業者は光反射と光透過の比率を８：２が最も理想的な比率としており、すなわち、自然の光Ｌ２を該マイクロレンズフィルム３１の一面が受けた後、光の８０％が反射され、他の面で該導光板４１より出射される人工の光Ｌ３が該マイクロレンズフィルム３１を投射した後、その内の２０％のみが該液晶モニタ３に投射されるというものである。
【０００８】
【発明が解決しようとする課題】
先ず、上述の図３に示すような公知構造のものにおける欠点として、光源装置の導光板は液晶モニタの上方に位置していることより、使用者に肉眼でその粗い表面が見えてしまうことでディスプレイの品質を落とさぬべく、非常な精密度が要求されるため、製造工程の難易度が高いものとなっており、必然的にコストが高くなっている。更に、フロントライト装置の導光板の反射斜面において、反射原理は一般の反射であり、該反射斜面の屈折する無効の光の占める割合が大きく、よって、有効な光を獲得するための効率が悪いことが言える。
【０００９】
また、図４に示すような公知構造のものにおける欠点としては、例えば、該液晶モニタに射し込む自然の光を１００００ｃｄ／ｃｍ２　としたとき、８０００ｃｄ／ｃｍ２　のみの光が該液晶モニタに反射されるのであり、よって、導光板より来る光源光（Ｌ３）が２０００ｃｄ／ｃｍ２となって４００ｃｄ／ｃｍ２のみの光が液晶モニタに投射されるのであり、両者の和は８４００ｃｄ／ｃｍ２となり、自然の光の１００００ｃｄ／ｃｍ２には遠く及ばず、且つ、逆に自然の光が強い場合には明るさのコントラストが崩れて、見難い問題が出てきてしまう。
そこで、無駄なく充分な光を発することで、屋外でも見やすい本発明のバックライトを備えた半透過タイプの液晶モニタを提供する。
【００１０】
【課題を解決するための手段】
本発明は、液晶モニタ内の底部に光の通路を具有する反射層を形成し、液晶モニタと底部光源装置との間にはマイクロレンズフィルムを設け、且つ、該マイクロレンズフィルムには光の通路との相対する位置に集光区域を設け、照射された自然の光を該反射層で反射した光は、すなわち、液晶モニタより出射される光となり、また、該底部光源装置より出射される光源光は一旦該集光区域に集まった後、該光の通路を透過することで、同様に該液晶モニタより出射される光となり、これらの光の和で該液晶モニタより出射される光の強度を高め、自然の光とのコントラストのバランスを取って見やすい液晶モニタとするものである。
【００１１】
すなわち、本発明は、下記のものからなる。
（１）少なくとも液晶モニタと、液晶モニタ底部に設けられた反射層と、マイクロレンズフィルム、底部光源装置とより構成され、
該反射層には複数の分布する光の通路が設けられており、該マイクロレンズフィルムは該光の通路と相対した位置に集光区域を形成しており、自然の光が該反射層で反射されるとともに、集光区域を経て光の通路を透過した該底部光源装置より出射される光源光と一つになって液晶モニタより出射される光を強化し、自然の光とのコントラストのバランスを保って見やすいことを特徴とするバックライトを備えた半透過タイプの液晶モニタ。
（２）マイクロレンズフィルムの集光区域は反射層の光の通路の面積より大きいことを特徴とする上記のバックライトを備えた半透過タイプの液晶モニタ。
【００１２】
【発明の実施の形態】
図１に示すように、本発明は、主に、液晶モニタ５の内部の底側に高い比率で反射する反射層５１を設ける。該反射層５１中には複数に分布する光の通路５２が設けられており、且つ、該液晶モニタ５にはガラスのカバー５３が固定されて一体となっている。該反射層５１の材質と形成は多種の異なる方法によって達成されているものであるが、これについては本発明の特徴的事項ではなく、適宜実施できる。
【００１３】
該液晶モニタ５の底部には更にマイクロレンズフィルム６が設けられており、該マイクロレンズフィルム６中には反射層５１の光の通路５２と相対した位置に集光効果を具有する集光区域６１が設けられている。マイクロレンズフィルムの集光区域は集光効果と光の通路５２を光源光が部分的に透過するために、反射層の光の通路の面積より大きくする。大きさはやや大きければよい。
【００１４】
該マイクロレンズフィルム６の下層には、更に、底部光源装置７が設けられており、該底部光源装置７には導光板７１が設けられ、且つ、該導光板７１の側面には冷光陰極線管７２が設けられている。その他、該マイクロレンズフィルム６と該底部光源装置７との間に設けられているディフューズフィルム８や集光片９などについては、本発明の特徴的事項ではなく、適宜実施できる。
【００１５】
図２に示すように、自然の光Ｌ４が該液晶モニタ５内に射し込んできた際、底部の反射層５１が該自然の光Ｌ４を高い比率で反射し、これを液晶モニタ５より出射される光とする。また、該導光板７１より出射される人工の光が、該マイクロレンズフィルム６を経て集光区域６１に至り、多くの光エネルギが集まった人工の光Ｌ５となり、更に、反射層５１を透過する光の通路５２が該液晶モニタ５内から光を発する個所を提供する。
【００１６】
つまり、該液晶モニタ５の全体の発光効果は自然の光Ｌ４と、該導光板７１より出射される光が該光の通路５２を経て出射される人工の光Ｌ５との和となり、こうして、該液晶モニタ５の出光機能が強化され、且つ、外の自然の光Ｌ４との明るさのコントラストのバランスに優れるものとなる。
【００１７】
【発明の効果】
本発明によると、自然の光、及び導光板より出射される人工の光を無駄なく利用したことにより、液晶モニタより発する光を強化し、屋外でのモニタの見易さを高めることに成功した。
【図面の簡単な説明】
【図１】本発明の実施例における分解図である。
【図２】本発明の実施例における応用説明図である。
【図３】公知構造におけるモニタの応用説明図である。
【図４】もう一つの公知構造におけるモニタの応用説明図である。
【符号の説明】
１　液晶モニタ
２　フロントライト装置
２１　導光板
２２　冷光陰極線管
２３　抗反射フィルム
Ａ−Ｂ　反射斜面
Ｌ　無効の光
Ｌ１　有効の光
３　液晶モニタ
３１　マイクロレンズフィルム
４　底部光源装置
４１　導光板
４２　冷光陰極線管
Ｌ２　自然の光
Ｌ３　人工の光
５　液晶モニタ
５１　反射層
５２　光の通路
５３　ガラスのカバー
６　マイクロレンズフィルム
６１　集光区域
７　底部光源装置
７１　導光板
７２　冷光陰極線管
８　光ディフューズフィルム
９　集光片
【図１】
2004037800.tif 000003
【図２】
2004037800.tif 000004
【図３】
2004037800.tif 000005
【図４】
2004037800.tif 000006